(57)【要約】【課題】キー・キャップとシザーズ式連結機構の組み立てをより容易にし、組み立て時間を短縮できるキー構造を提供する。【解決手段】底板と、底板の上に設置され、第１連結部材と第２連結部材を有するシザーズ式連結機構と、シザーズ式連結機構の上に設置され、２つの第１スライド座、２つの第２スライド座、及びガイド突出部を有するキー・キャップとを備え、第１連結部材は第１端部と第２端部を有し、第２連結部材は第３端部と第４端部を有し、第１端部と第３端部はそれぞれ底板にヒンジ接続されており、第２端部は第１ガイド柱を有し、第４端部は第２ガイド柱を有し、ガイド突出部は、２つの第１スライド座の間に設置され、第１ガイド柱は、ガイド突出部によって２つの第１スライド座の中に設置され、それによって第２ガイド柱は２つの第２スライド座の中に設置されるようしたキー構造。【選択図】図２
0003134312.tif 000002
【実用新案登録請求の範囲】
【請求項１】
底板と、
前記底板の上に設置され、且つ、第１連結部材と第２連結部材を有するシザーズ式連結機構と、
前記シザーズ式連結機構の上に設置され、且つ、２つの第１スライド座、２つの第２スライド座、及びガイド突出部を有するキー・キャップと、
を備え、
前記第１連結部材は、前記第２連結部材にヒンジ接続されており、且つ、第１端部と第２端部を有し、
前記第２連結部材は、第３端部と第４端部を有し、
前記第１端部は前記第２端部に向かい合っており、前記第３端部は前記第４端部に向かい合っており、
前記第１端部と前記第３端部は、それぞれ前記底板にヒンジ接続されており、
前記第２端部は第１ガイド柱を有し、前記第４端部は第２ガイド柱を有し、
前記２つの第１スライド座は互いに向かい合っており、且つ、前記第１ガイド柱に対応し、
前記２つの第２スライド座は互いに向かい合っており、且つ、前記第２ガイド柱に対応し、
前記ガイド突出部は、前記２つの第１スライド座の間に設置され、
前記第１ガイド柱は、前記ガイド突出部によって前記２つの第１スライド座の中に設置され、それによって前記第２ガイド柱は前記２つの第２スライド座の中に設置されるようになることを特徴とするキー構造。
【請求項２】
前記ガイド突出部は、ガイド斜面を有し、
前記ガイド斜面は、前記２つの第１スライド座に向かい合っており、
前記第１ガイド柱を前記ガイド斜面上でスライドさせることによって、前記第１ガイド柱は前記２つの第１スライド座の中に設置される請求項１に記載のキー構造。
【考案の詳細な説明】
【技術分野】
【０００１】
本考案は、キー構造に関し、特に、組み立てがより容易なキー構造に関する。
【背景技術】
【０００２】
図１に示されたように、従来のキー構造１は、主に、キー・キャップ１１とシザーズ式連結機構（ｓｃｉｓｓｏｒｓ  ｌｉｎｋｉｎｇ  ｍｅｃｈａｎｉｓｍ）１２を含む。図１では、弾性体等の部材が省略されたため、図示されていない。キー・キャップ１１は、スライド座１１ａと係合座（ｅｎｇａｇｉｎｇ  ｂａｓｅ）１１ｂを有する。シザーズ式連結機構１２は、第１連結部材１２ａと第２連結部材１２ｂを有する。キー・キャップ１１とシザーズ式連結機構１２を組み立てる際に、先ず、キー・キャップ１１のスライド座１１ａを第１連結部材１２ａのガイド柱（ｇｕｉｄｅ  ｐｉｌｌａｒ）１２ａ’に照準を合わせてから、次に、ガイド柱１２ａ’をスライド座１１ａの中にスライドさせる。続いて、キー・キャップ１１の係合座１１ｂを第２連結部材１２ｂのガイド柱１２ｂ’に照準を合わせて押すことにより、ガイド柱１２ｂ’を係合座１１ｂの中に係合させる。このようにして、キー・キャップ１１とシザーズ式連結機構１２の組み立てが完成される。
【０００３】
上述のように、キー・キャップ１１とシザーズ式連結機構１２の組み立ては、２つのステップに分けて行わなければならない。よって、キー構造１の組み立て上での不便を生じるだけでなく、キー構造１の組み立て時間も増加させる。
【考案の開示】
【考案が解決しようとする課題】
【０００４】
これに鑑みて、本考案の目的は、キー・キャップとシザーズ式連結機構の組み立てをより容易にし、且つ組み立て時間を短縮できるようにしたキー構造を提供することにある。
【課題を解決するための手段】
【０００５】
本考案は、上述の問題を解決するために、基本的に下記の詳述の特徴を用いる。即ち、本考案は、底板と、前記底板の上に設置され、且つ、第１連結部材と第２連結部材を有するシザーズ式連結機構と、前記シザーズ式連結機構の上に設置され、且つ、２つの第１スライド座、２つの第２スライド座、及びガイド突出部を有するキー・キャップとを備え、前記第１連結部材は、前記第２連結部材にヒンジ接続されており、且つ、第１端部と第２端部を有し、前記第２連結部材は、第３端部と第４端部を有し、前記第１端部は前記第２端部に向かい合っており、前記第３端部は前記第４端部に向かい合っており、前記第１端部と前記第３端部は、それぞれ前記底板にヒンジ接続されており、前記第２端部は第１ガイド柱を有し、前記第４端部は第２ガイド柱を有し、前記２つの第１スライド座は互いに向かい合っており、且つ、前記第１ガイド柱に対応し、前記２つの第２スライド座は互いに向かい合っており、且つ、前記第２ガイド柱に対応し、前記ガイド突出部は、前記２つの第１スライド座の間に設置され、前記第１ガイド柱は、前記ガイド突出部によって前記２つの第１スライド座の中に設置され、それによって前記第２ガイド柱は前記２つの第２スライド座の中に設置されるようになることを特徴とする。
【０００６】
また、本考案に係るキー構造は、前記ガイド突出部は、ガイド斜面を有し、前記ガイド斜面は、前記２つの第１スライド座に向かい合っており、前記第１ガイド柱を前記ガイド斜面上でスライドさせることによって、前記第１ガイド柱は前記２つの第１スライド座の中に設置されるようになっている。
【考案の効果】
【０００７】
本考案に係るキー構造によれば、キー・キャップとシザーズ式連結機構の組み立てを１つのステップのみで完成することができ、よって、キー構造の組み立てをより容易にし、且つ組み立て時間を短縮させることができるという効果を奏する。
【考案を実施するための最良の形態】
【０００８】
本考案についての目的、特徴、長所が一層明確に理解されるよう、以下に実施形態を例示し、図面を参照にしながら、詳細に説明する。
【実施例】
【０００９】
図２に示されたように、本実施例のキー構造１００は、主に、底板１１０と、シザーズ式連結機構１２０と、キー・キャップ１３０とを備える。図２では、弾性体等の部材が省略されたため、図示されていない。
【００１０】
図２に示すように、シザーズ式連結機構１２０は、底板１１０の上に設置され、且つ、第１連結部材１２１と第２連結部材１２２を有する。第１連結部材１２１は、第２連結部材１２２にヒンジ接続されている。第１連結部材１２１は、第１端部１２１ａと第２端部１２１ｂを有し、第２連結部材１２２は、第３端部１２２ａと第４端部１２２ｂを有する。第１端部１２１ａは、第２端部１２１ｂに向かい合っており、第３端部１２２ａは、第４端部１２２ｂに向かい合っている。第１端部１２１ａと第３端部１２２ａは、それぞれ底板１１０にヒンジ接続されており、即ち、第１端部１２１ａは回転可能な方式で底板１１０の支持座１１１の中に、第３端部１２２ａは回転可能な方式で底板１１０の支持座１１２の中に、それぞれ設置されている。また、第１連結部材１２１の第２端部１２１ｂは、第１ガイド柱１２１ｃを有し、第２連結部材１２２の第４端部１２２ｂは、第２ガイド柱１２２ｃを有する。
【００１１】
図２及び図３に示すように、キー・キャップ１３０は、シザーズ式連結機構１２０の上に設置され、且つ、２つの第１スライド座１３１、２つの第２スライド座１３２、及びガイド突出部１３３を有する。２つの第１スライド座１３１は、互いに向かい合っており、且つ、第１連結部材１２１の第１ガイド柱１２１ｃに対応する。一方、２つの第２スライド座１３２は、互いに向かい合っており、且つ、第２連結部材１２２の第２ガイド柱１２２ｃに対応する。特に、ガイド突出部１３３は、２つの第１スライド座１３１の間に設置され、且つ、ガイド突出部１３３は、ガイド斜面１３３ａを有し、このガイド斜面１３３ａは、２つの第１スライド座１３１（の開口）に向かい合っている。
【００１２】
続いて、キー・キャップ１３０とシザーズ式連結機構１２０の組み立て方法（つまり、キー構造１００の組み立て方法）を説明する。
【００１３】
先ず、図４Ａ及び図４Ｂに示すように、キー・キャップ１３０をシザーズ式連結機構１２０の上に配置し、更に、キー・キャップ１３０の第１スライド座１３１の開口を第１連結部材１２１の第１ガイド柱１２１ｃの上に、キー・キャップ１３０の第２スライド座１３２の開口を第２連結部材１２２の第２ガイド柱１２２ｃの上に、それぞれ位置させる。この際、第１連結部材１２１の第１ガイド柱１２１ｃは、ガイド突出部１３３のガイド斜面１３３ａの上に位置される。続いて、キー・キャップ１３０をシザーズ式連結機構１２０に向けて直接押す。この時、図５に示すように、第１連結部材１２１の第１ガイド柱１２１ｃは、キー・キャップ１３０のガイド突出部１３３のガイド斜面１３３ａにスライドし、且つ、第１ガイド柱１２１ｃは、ガイド突出部１３３（或いは、ガイド斜面１３３ａ）に押されたことにより、弾性湾曲変形を生じる。注意すべきのは、第１連結部材１２１の第１ガイド柱１２１ｃがガイド突出部１３３のガイド斜面１３３ａにスライドしている間に、ガイド突出部１３３（或いは、ガイド斜面１３３ａ）に押されたことにより、第１連結部材１２１の第１ガイド柱１２１ｃと、第２連結部材１２２の第２ガイド柱１２２ｃもそれぞれ同時に、第１スライド座１３１の開口と、第２スライド座１３２の開口に向けて徐々に移動していく。最後に、第１連結部材１２１の第１ガイド柱１２１ｃが、第１スライド座１３１の開口によって第１スライド座１３１の中に完全に入り込み、そして、第２連結部材１２２の第２ガイド柱１２２ｃも、第２スライド座１３２の開口によって第２スライド座１３２の中に完全に入り込む。この際、図２に示すように、キー・キャップ１３０とシザーズ式連結機構１２０の組み立て（或いは、キー構造１００の組み立て）が完成される。
【００１４】
以上のように、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００１５】
【図１】従来のキー構造の部分断面図である。
【図２】本考案に係るキー構造の部分断面図である。
【図３】本考案に係るキー構造のキー・キャップの上面図である。
【図４Ａ】本考案に係るキー構造の一部に関する上面図である。
【図４Ｂ】図４Ａに基づいた部分断面図である。
【図５】本考案に係るキー構造の一部に関する他の上面図である。
【符号の説明】
【００１６】
１、１００      キー構造
１１、１３０    キー・キャップ
１１ａ          スライド座
１１ｂ          係合座
１２、１２０    シザーズ式連結機構
１２ａ、１２１  第１連結部材
１２ａ’        ガイド柱
１２ｂ、１２２  第２連結部材
１２ｂ’        ガイド柱
１１０          底板
１１１、１１２  支持座
１２１ａ        第１端部
１２１ｂ        第２端部
１２１ｃ        第１ガイド柱
１２２ａ        第３端部
１２２ｂ        第４端部
１２２ｃ        第２ガイド柱
１３１          第１スライド座
１３２          第２スライド座
１３３          ガイド突出部
１３３ａ        ガイド斜面
【図１】
0003134312.tif 000003
【図２】
0003134312.tif 000004
【図３】
0003134312.tif 000005
【図４Ａ】
0003134312.tif 000006
【図４Ｂ】
0003134312.tif 000007
【図５】
0003134312.tif 000008